(57)【要約】【課題】耐久性を有しつつ、低コストで、かつ、デザイン性が向上された靴底又はアッパー部分を着脱可能な靴、靴の靴底、及び靴のアッパー部分を提供すること。【解決手段】靴１は、上部開口部３１、上部開口部３１から下方に延びる側部３２、及び側部３２における上部開口部３１と反対側の下部に配置される下部開口部３３を有し、側部３２の下方側に形成され側部３２から内側に延出すると共に下部開口部３３の周方向に沿って延びる延出部３２１を有するアッパー部分３と、アッパー部分３に対して嵌合により着脱可能な靴底２であって、人の足を載置可能なインソール部２１と接地面に配置可能なアウトソール部２２とが一体で構成され、アッパー部分３の下部開口部３３に配置されると共に、外側の側方に溝状に開口して形成され靴底２の周方向に沿って延びると共に延出部３２１に嵌合可能な溝部２３を有する靴底２と、を備える。【選択図】図３
2020078396.tif 000002
【特許請求の範囲】
【請求項１】
上部開口部、前記上部開口部から下方に延びる側部、及び前記側部における前記上部開口部と反対側の下部に配置される下部開口部を有し、前記側部の下方側に形成され前記側部から内側に延出すると共に前記下部開口部の周方向に沿って延びる延出部を有するアッパー部分と、
前記アッパー部分に対して嵌合により着脱可能な靴底であって、人の足を載置可能なインソール部と接地面に配置可能なアウトソール部とが一体で構成され、前記アッパー部分の前記下部開口部に配置され、外側の側方に溝状に開口して形成され該靴底の周方向に沿って延びると共に前記延出部に嵌合可能な溝部を有する靴底と、を備える靴。
【請求項２】
前記延出部は、前記側部の下方側において前記下部開口部の周方向の略全域に亘って延びて形成され、
前記溝部は、前記靴底の周方向の略全域に亘って延びて形成される請求項１に記載の靴。
【請求項３】
前記靴底は、前記上部開口部を通して前記アッパー部分の内部に挿入可能である請求項１又は２に記載の靴。
【請求項４】
前記靴底は、足を載置した場合に足の荷重負荷が掛かり難い部分に形成される空洞部を有する請求項１〜３のいずれかに記載の靴。
【請求項５】
アッパー部分に対して嵌合により着脱可能な靴底であって、
前記アッパー部分は、上部開口部、前記上部開口部から下方に延びる側部、及び前記側部における前記上部開口部と反対側の下部に配置される下部開口部を有し、前記側部の下方側に形成され前記側部から内側に延出すると共に前記下部開口部の周方向に沿って延びる延出部を有し、
前記靴底は、人の足を載置可能なインソール部と接地面に配置可能なアウトソール部とが一体で構成され、前記アッパー部分の前記下部開口部に配置され、外側の側方に溝状に開口して形成され該靴底の周方向に沿って延びると共に前記延出部に嵌合可能な溝部を有する靴底。
【請求項６】
靴底に対して嵌合により着脱可能なアッパー部分であって、
前記アッパー部分は、上部開口部、前記上部開口部から下方に延びる側部、及び前記側部における前記上部開口部と反対側の下部に配置される下部開口部を有し、前記側部の下方側に形成され前記側部から内側に延出すると共に前記下部開口部の周方向に沿って延びる延出部を有し、
前記靴底は、人の足を載置可能なインソール部と接地面に配置可能なアウトソール部とが一体で構成され、前記アッパー部分の前記下部開口部に配置され、外側の側方に溝状に開口して形成され該靴底の周方向に沿って延びると共に前記延出部に嵌合可能な溝部を有するアッパー部分。
【発明の詳細な説明】
【技術分野】
【０００１】
本発明は、靴底又はアッパー部分を着脱可能な靴に関する。また、アッパー部分に対して着脱可能な靴底、及び靴底に対して着脱可能なアッパー部分に関する。
【背景技術】
【０００２】
従来、靴底と、アッパー部分とを備え、靴底とアッパーがファスナーによって分離可能に接合されている靴が知られている（例えば、特許文献１参照）。
【先行技術文献】
【特許文献】
【０００３】
【特許文献１】特開２０１７−１７０１９１号公報
【発明の概要】
【発明が解決しようとする課題】
【０００４】
靴底とアッパー部分とがファスナーによって分離可能に接合されている靴は、ファスナーが外部に露出されており、ファスナーが靴の外側から視認されるため、デザイン性を向上させることが望まれている。また、ファスナーに要するコストを低減することも望まれている。更に、耐久性を有することも望まれている。
【０００５】
本発明は、耐久性を有しつつ、低コストで、かつ、デザイン性が向上される靴底又はアッパー部分を着脱可能な靴、靴の靴底、及び靴のアッパー部分を提供することを目的とする。
【課題を解決するための手段】
【０００６】
本発明は、上部開口部、前記上部開口部から下方に延びる側部、及び前記側部における前記上部開口部と反対側の下部に配置される下部開口部を有し、前記側部の下方側に形成され前記側部から内側に延出すると共に前記下部開口部の周方向に沿って延びる延出部を有するアッパー部分と、前記アッパー部分に対して嵌合により着脱可能な靴底であって、人の足を載置可能なインソール部と接地面に配置可能なアウトソール部とが一体で構成され、前記アッパー部分の前記下部開口部に配置され、外側の側方に溝状に開口して形成され該靴底の周方向に沿って延びると共に前記延出部に嵌合可能な溝部を有する靴底と、を備える靴に関する。
【０００７】
また、前記延出部は、前記側部の下方側において前記下部開口部の周方向の略全域に亘って延びて形成され、前記溝部は、前記靴底の周方向の略全域に亘って延びて形成されることが好ましい。
【０００８】
また、前記靴底は、前記上部開口部を通して前記アッパー部分の内部に挿入可能であることが好ましい。
【０００９】
また、前記靴底は、足を載置した場合に足の荷重負荷が掛かり難い部分に形成される空洞部を有することが好ましい。
【００１０】
また、本発明は、アッパー部分に対して嵌合により着脱可能な靴底であって、前記アッパー部分は、上部開口部、前記上部開口部から下方に延びる側部、及び前記側部における前記上部開口部と反対側の下部に配置される下部開口部を有し、前記側部の下方側に形成され前記側部から内側に延出すると共に前記下部開口部の周方向に沿って延びる延出部を有し、前記靴底は、人の足を載置可能なインソール部と接地面に配置可能なアウトソール部とが一体で構成され、前記アッパー部分の前記下部開口部に配置され、外側の側方に溝状に開口して形成され該靴底の周方向に沿って延びると共に前記延出部に嵌合可能な溝部を有する靴底に関する。
【００１１】
また、本発明は、靴底に対して嵌合により着脱可能なアッパー部分であって、前記アッパー部分は、上部開口部、前記上部開口部から下方に延びる側部、及び前記側部における前記上部開口部と反対側の下部に配置される下部開口部を有し、前記側部の下方側に形成され前記側部から内側に延出すると共に前記下部開口部の周方向に沿って延びる延出部を有し、前記靴底は、人の足を載置可能なインソール部と接地面に配置可能なアウトソール部とが一体で構成され、前記アッパー部分の前記下部開口部に配置され、外側の側方に溝状に開口して形成され該靴底の周方向に沿って延びると共に前記延出部に嵌合可能な溝部を有するアッパー部分に関する。
【発明の効果】
【００１２】
本発明によれば、耐久性を有しつつ、低コストで、かつ、デザイン性が向上された靴底又はアッパー部分を着脱可能な靴、靴の靴底、及び靴のアッパー部分を提供することができる。
【図面の簡単な説明】
【００１３】
【図１】本発明に係る靴の一実施形態を示す側面図である。
【図２】（ａ）はアッパー部分を示す側面図であり、（ｂ）は靴底を示す側面図である。
【図３】図１のＡ−Ａ線断面図であって靴底とアッパー部分との嵌合部分の断面図である。
【図４】アッパー部分を底部側から見た図である。
【図５】靴底を足が載置される側から視た図である。
【図６】（ａ）は、靴底を底部側から視た図である。（ｂ）は、図６（ａ）のＢ−Ｂ線断面図であって靴底を長手方向に沿った断面で切断した場合の断面図である。
【図７】靴底をアッパー部分に装着する手順を示す図である。
【図８】靴底をアッパー部分から取り外す手順を示す図である。
【図９】靴の他のバリエーションを示す第１デザイン例を示す図である。
【図１０】靴の他のバリエーションを示す第２デザイン例を示す図である。
【図１１】第１取り換え例を示す図であって、１つの靴底に対して、複数のアッパー部分を装着可能であることを説明する図である。
【図１２】第２取り換え例を示す図であって、１つの靴底に対して、複数のアッパー部分を装着可能であることを説明する図である。
【図１３】第３取り換え例を示す図であって、１つの靴底に対して、複数のアッパー部分を装着可能であることを説明する図である。
【発明を実施するための形態】
【００１４】
以下、本発明の靴の好ましい一実施形態について、図面を参照しながら説明する。本実施形態の靴１の詳細な構成につき、図面を参照しながら説明する。なお、本発明の靴には、履物やシューズと呼ばれるもの全般、すなわち、スニーカー（運動靴）、革靴、ブーツなどの一般靴が含まれ、スリッパやサンダルなども含まれる。
【００１５】
本実施形態の靴１は、図１及び図２に示すように、靴底２と、アッパー部分３と、を備える。靴１は、図３に示すように、靴底２とアッパー部分３とが嵌合により着脱可能に接合されている。靴１は、靴底２とアッパー部分３とに分離可能である。
【００１６】
アッパー部分３は、足を受け入れ可能な形状に形成される。アッパー部分３は、図２（ａ）、図３及び図４に示すように、上部に配置され足を挿入可能な上部開口部３１と、上部開口部３１から下方に延びる側部３２と、側部３２における上部開口部３１と反対側の下部に配置される下部開口部３３と、を有する。
【００１７】
側部３２は、足の甲部、踵部及び足指の一部又は全部を覆うように、選択された生地材料や皮材料や樹脂材料などにより形成される。
上部開口部３１は、足を受け入れ可能に上方に開口する履き口を構成する。後述するように、靴底２をアッパー部分３に装着する際に、上部開口部３１を通して、靴底２を側部３２の内部に挿入可能である。このように、アッパー部分３は、上部開口部３１を通して足を受け入れ可能に上方に向けて開口すると共に、上部開口部３１を通して靴底２を挿入できるように構成されている。
下部開口部３３には、後述する靴底２が配置され、下部開口部３３は、靴底２により塞がれる。
【００１８】
側部３２の下方側には、図３及び図４に示すように、延出部３２１が形成される。延出部３２１は、側部３２の下端部から、内側の側方に延出すると共に、下部開口部３３の周方向に沿って延びる。延出部３２１は、図３に示すように、靴底２がアッパー部分３に装着された場合に、靴底２の溝部２３に嵌合する。延出部３２１の先端には、好ましくは、本実施形態のように、凸部が形成される。例えば、本実施形態の延出部３２１の先端の凸部は、球状に形成される。延出部３２１は、例えば、熱可塑性ポリウレタン（ＴＰＵ）樹脂、シリコン樹脂などの樹脂材料などの材料で形成される。延出部３２１は、側部３２と一体で構成される。延出部３２１の製造に関しては、延出部３２１及び側部３２を一部材で製造してもよいし、延出部３２１と側部３２とを別部材で製造したものを接合してもよい。
【００１９】
なお、延出部３２１は、本実施形態のように側部３２の下端部から延出したものに限定されない。延出部３２１を、例えば、側部３２の下方側の部分であって側部３２の下端部よりも上方側の部分から、内側の側方に延出して形成してもよい。また、延出部３２１を、下部開口部３３の周方向の全域に亘って延びて形成してもよいし、下部開口部３３の周方向の一部に形成してもよい。また、延出部３２１を、一箇所に形成してもよいし、複数箇所に分けて形成してもよい。
【００２０】
靴底２は、アッパー部分３に対して嵌合により着脱可能である。靴底２は、アッパー部分３に装着する際に、アッパー部分３の上部開口部３１を通して、アッパー部分３の内部に挿入可能である。靴底２は、アッパー部分３に装着された場合に、アッパー部分３の下部開口部３３に配置される。靴底２は、図２（ｂ）、図３、図５及び図６に示すように、所定の厚みを有し、靴１の長手方向に延びて形成され、平面視で、長手方向に延びる湾曲円形状に形成される。靴底２は、インソール部２１とアウトソール部２２とが一体で構成される。
【００２１】
インソール部２１は、靴底２の上部を構成し、靴１の内側に配置され、人の足を載置可能な部分である。インソール部２１の上面は、図３に示すように、土踏まずが配置される近傍において幅方向の中央側が窪むように湾曲すると共に、図６（ｂ）に示すように、長手方向において緩やかな山谷状に湾曲する。靴底２は、外周縁に沿って形成され外周縁部から上方側に突出する突出周縁２１１を有する。
アウトソール部２２は、靴底２の下部を構成し、靴１の下方に露出され、地面や床などの接地面に配置可能な部分である。
【００２２】
靴底２は、図２（ｂ）及び図３に示すように、アッパー部分３の延出部３２１に嵌合可能な溝部２３を有する。溝部２３は、靴底２のインソール部２１の外側の側部において、外側の側方に溝状に開口して形成され、靴底２の周方向に沿って延びて形成される。溝部２３は、図３に示すように、靴底２がアッパー部分３に装着された場合に、アッパー部分３の延出部３２１に嵌合する。溝部２３の奥側には、好ましくは、本実施形態のように、凹部が形成される。例えば、本実施形態の溝部２３の奥側の凹部は、球状に形成される。延出部３２１の先端の凸部が、溝部２３の奥側の凹部に嵌合することで、溝部２３から、延出部３２１が抜けにくくなる。
【００２３】
なお、溝部２３を、靴底２の略全域に亘って延びて形成してもよいし、一部に形成してもよい。また、溝部２３を、一箇所に形成してもよいし、複数箇所に分けて形成してもよい。
【００２４】
靴底２は、図６に示すように、空洞部２４を更に有する。空洞部２４は、足を靴底２に載置した場合に、足の荷重負荷が掛かり難い部分に形成される。本実施形態においては、空洞部２４は、例えば、足の土踏まずに対応した靴底２の内部に形成され、靴底２の幅方向に２つ並んで配置されている。また、本実施形態においては、空洞部２４は、周囲が全部覆われた閉鎖空間により構成されている。
靴底２に空洞部２４を設けることにより、靴底２を着脱する際に、空洞部２４において曲げながら靴底２を着脱できるため、靴底２の着脱が容易となる。また、空洞部２４において靴底２を曲げながら着脱しても、空洞部２４に足の荷重負荷が掛かり難く、空洞部２４からの靴底２へのダメージは少ないため、靴底２の耐久性を確保できる。
【００２５】
なお、空洞部２４は、周囲が全部覆われた閉鎖空間に限定されず、一部が外部に開放していてもよい。また、空洞部２４の数や形状や位置は、本実施形態に限定されない。
【００２６】
次に、アッパー部分３と靴底２とを着脱する手順について説明する。
まず、靴底２をアッパー部分３に装着する手順について説明する。
図７に示すように、靴底２の先端側から、アッパー部分３の上部開口部３１に通して、靴１の内側に靴底２を挿入する。靴底２は、空洞部２４において曲げやすいため、靴底２の挿入位置や挿入角度に応じて、空洞部２４により靴底２を湾曲又は屈曲させながら挿入することができ、下部開口部３３において、略水平な状態で配置される。
続けて、靴底２の溝部２３を、アッパー部分３の延出部３２１に嵌め込む。これにより、靴底２を、アッパー部分３の内側において嵌合して装着できる。
【００２７】
以上の靴１においては、靴底２をアッパー部分３の内側に挿入して嵌合させるため、靴底２とアッパー部分３との嵌合部が外側から視認されない。よって、デザイン性を向上できる。
また、靴底２を、上部開口部３１を通してアッパー部分３の内側に挿入して、アッパー部分３の内側において嵌合できる。そのため、靴底２をアッパー部分３の外側から嵌合させるよりも、人が歩行する際に靴底２に下方側に作用する力に対して、耐久性を向上できる。
【００２８】
次に、靴底２からアッパー部分３を取り外す手順について説明する。
図８に示すように、組み立てられた靴１において、靴底２の底部側から、空洞部２４付近を押圧することで、靴底２を変形させて、靴底２を上部開口部３１側に浮き上がらせる。そして、アッパー部分３の延出部３２１から、靴底２の溝部２３の嵌合を周方向に沿って徐々に外していく。これにより、靴底２の溝部２３とアッパー部分３の延出部３２１との嵌合を外すことができる。
【００２９】
続けて、靴底２を、アッパー部分３の上部開口部３１を通して、アッパー部分３の内側から抜き出す。靴底２は、空洞部２４において曲げやすいため、靴底２の取り出し角度に応じて、空洞部２４により靴底２を湾曲又は屈曲させながら抜き出すことができる。これにより、上部開口部３１を通して、アッパー部分３の内側から、靴底２を容易に取り外すことができる。以上の靴１においては、空洞部２４を押圧することで、アッパー部分３から靴底２を容易に取り外すことができる。
【００３０】
以上の靴１においては、アッパー部分３から靴底２を取り外した状態において、別のアッパー部分や別の靴底を準備することで、別のアッパー部分の延出部や別の靴底の溝部に嵌合させて、アッパー部分と靴底との組み合わせを異ならせた靴を構成できる。
【００３１】
より具体的には、複数種類の靴底及び複数種類のアッパー部分を準備しておくことで、例えば、旅行に行った際に、気分を変えたい場合などに、別の靴底又は別のアッパー部分に取り換えることができる。また、靴１をアッパー部分３及び靴底２に分離できるため、複数のアッパー部分や複数の靴底を旅行に持参する場合に、複数のアッパー部分を重ねて収納したり複数の靴底を重ねて収納すれば、旅行カバンなどにコンパクトに収納できるため、旅行などに持参しやすい。また、靴１をアッパー部分３及び靴底２に分離できるため、靴が一体で分離できない場合と比べて、分離したアッパー部分３及び靴底２のそれぞれを容易に洗濯することもできる。
【００３２】
また、本実施形態の靴１は、前記実施形態の靴１とは異なる他のデザインの靴にも適用可能であり、例えば、図９及び図１０に示すように、異なるデザインのアッパー部分３Ａ、３Ｂ及び異なるデザインの靴底２Ａ、２Ｂを組み合わせることで、前記実施形態の靴１とは異なるデザインの靴１Ａ、１Ｂとすることもできる。
【００３３】
例えば、図９に示す第１デザイン例の靴１Ａにおいては、前記実施形態の靴１のアッパー部分３の上部開口部３１と比べて、アッパー部分３Ａの上部開口部３１Ａの形状が異なり、紐部の位置及び長さや、外観デザインなども異なる。図９（ｃ）に示す第１デザイン例の靴１Ａは、図９（ａ）に示すアッパー部分３Ａの延出部３２１Ａと、図９（ｂ）に示す靴底２Ａの溝部２３Ａとを、前記実施形態の靴１と同様の手順で着脱可能である。
【００３４】
また、図１０に示す第２デザイン例の靴１Ｂは、前記実施形態の靴１とは異なり、サンダルタイプの靴である。図１０（ｃ）に示す第２デザイン例の靴１Ｂは、図１０（ａ）に示すアッパー部分３Ｂの延出部３２１Ｂと、図１０（ｂ）に示す靴底２Ｂの溝部２３Ｂとを、前記実施形態の靴１と同様の手順で着脱可能である。
【００３５】
また、図１１〜図１３の第１取り換え例〜第３取り換え例に示すように、１つの靴底を使用して、異なる複数種類のデザインのアッパー部分に取り換えることで、異なるデザインの靴に変更して、異なるデザインの靴を楽しむこともできる。
【００３６】
例えば、図１１に示す第１取り換え例のように、１つの靴底２Ｃに対して、異なるデザインの２種類のアッパー部分３Ｃａ、３Ｃｂを準備することで、１つの靴底２Ｃをアッパー部分３Ｃａに装着した靴と、１つの靴底２Ｃをアッパー部分３Ｃｂに装着した靴と、に変更することができる。靴底２Ｃには、溝部２３Ｃが靴底２Ｃの略全周に亘って形成されており、空洞部は形成されていない。
【００３７】
図１１に示す１つの靴底２Ｃに対して、異なるデザインの２種類のアッパー部分３Ｃａ、３Ｃｂを組み合わせる靴においては、前記実施形態の靴１と同様の着脱方法で着脱することができる。より具体的には、アッパー部分３Ｃａの延出部３２１Ｃａと靴底２Ｃの溝部２３Ｃとを嵌合することでアッパー部分３Ｃａと靴底２Ｃとを組み合わせた靴や、アッパー部分３Ｃｂの延出部３２１Ｃｂと靴底２Ｃの溝部２３Ｃとを嵌合することでアッパー部分３Ｃｂと靴底２Ｃとを組み合わせた靴を構成することができる。
【００３８】
また、図１２に示す第２取り換え例のように、１つの靴底２Ｄに対して、異なるデザインの２種類のアッパー部分３Ｄａ、３Ｄｂを準備することで、１つの靴底２Ｄをカジュアルな革靴タイプのアッパー部分３Ｄａに装着した靴と、１つの靴底２Ｄをブーツタイプのアッパー部分３Ｄｂに装着した靴と、に変更することができる。図１２に示す靴底２Ｄの溝部２３Ｄは、靴底２Ｄの長手方向の中央付近において分断されている。靴底２Ｄの溝部２３Ｄが分断された部分には、空洞部２４Ｄが形成されている。
【００３９】
図１２に示す１つの靴底２Ｄに対して、異なるデザインの２種類のアッパー部分３Ｄａ、３Ｄｂを組み合わせる靴においては、前記実施形態の靴１と同様の着脱方法で着脱することができる。より具体的には、アッパー部分３Ｄａの延出部３２１Ｄａと靴底２Ｄの溝部２３Ｄとを嵌合することでアッパー部分３Ｄａと靴底２Ｄとを組み合わせた靴や、アッパー部分３Ｄｂの延出部３２１Ｄｂと靴底２Ｄの溝部２３Ｄとを嵌合することでアッパー部分３Ｄｂと靴底２Ｄとを組み合わせた靴を構成することができる。
【００４０】
また、図１３に示す第３取り換え例のように、１つの靴底２Ｅに対して、異なるデザインの２種類のアッパー部分３Ｅａ、３Ｅｂを準備することで、１つの靴底２Ｅをスニーカータイプのアッパー部分３Ｅａに装着した靴と、１つの靴底２Ｅをブーツタイプのアッパー部分３Ｅｂに装着した靴と、に変更することができる。図１３に示す靴底２Ｅの溝部２３Ｅは、靴底２Ｅの長手方向のつま先側の部分と、踵側の部分とにおいて分断されている。靴底２Ｅの溝部２３Ｅが分断された部分それぞれには空洞部２４Ｅが設けられ、靴底２Ｅには、計２つの空洞部２４Ｅが形成されている。
【００４１】
図１３に示す１つの靴底２Ｅに対して、異なるデザインの２種類のアッパー部分３Ｅａ、３Ｅｂを組み合わせる靴においては、前記実施形態の靴１と同様の着脱方法で着脱することができる。より具体的には、アッパー部分３Ｅａの延出部３２１Ｅａと靴底２Ｅの溝部２３Ｅとを嵌合することでアッパー部分３Ｅａと靴底２Ｅとを組み合わせた靴や、アッパー部分３Ｅｂの延出部３２１Ｅｂと靴底２Ｅの溝部２３Ｅとを嵌合することでアッパー部分３Ｅｂと靴底２Ｅとを組み合わせた靴を構成することができる。
【００４２】
本発明における本実施形態の靴１によれば、次のような効果が奏される。
（１）靴１は、上部開口部３１から下方に延びる側部３２、及び側部３２における上部開口部３１と反対側の下部に配置される下部開口部３３を有し、側部３２の下方側に形成され側部３２から内側に延出すると共に下部開口部３３の周方向に沿って延びる延出部３２１を有するアッパー部分３と、アッパー部分３に対して嵌合により着脱可能な靴底２であって、人の足を載置可能なインソール部２１と接地面に配置可能なアウトソール部２２とが一体で構成され、アッパー部分３の下部開口部３３に配置されると共に、外側の側方に溝状に開口して靴底２の周方向に沿って延びると共に延出部３２１に嵌合可能な溝部２３を有する靴底２と、を備える。
【００４３】
これにより、靴１の内部において、溝部２３と延出部３２１とで嵌合させるため、靴底２とアッパー部分３との嵌合部が外側から視認されないため、デザイン性を向上できる。また、溝部２３と延出部３２１とで嵌合させる構造であるため、簡易に構成でき、低コストで製作できる。また、溝部２３と延出部３２１とで嵌合させることで、耐久性を維持できる。よって、耐久性を有しつつ、低コストで、かつ、デザイン性が向上された靴１とすることができる。また、靴底２及びアッパー部分３それぞれにおいても、耐久性を有しつつ、低コストで、かつ、デザイン性が向上された靴底２及びアッパー部分３とすることができる。
【００４４】
（２）アッパー部分３の延出部３２１は、側部３２の下方側において下部開口部３３の周方向の略全域に亘って延びて形成され、靴底２の溝部２３は、靴底２の周方向の略全域に亘って延びて形成される。これにより、靴底２の溝部２３とアッパー部分３の延出部３２１とが周方向の略全域において嵌合されるため、溝部２３と延出部３２１と嵌合が強固となり、耐久性を向上できる。
【００４５】
（３）靴底２は、上部開口部３１を通してアッパー部分３の内部に挿入可能である。これにより、靴底２を、上部開口部３１を通してアッパー部分３の内側に挿入して、アッパー部分３の内側において嵌合できる。そのため、靴底２をアッパー部分３の外側から嵌合させるよりも、人が歩行する際に靴底２に下方側に作用する力に対して、耐久性を向上できる。
【００４６】
（４）靴底２は、足を載置した場合に足の荷重負荷が掛かり難い部分に形成される空洞部２４を有する。これにより、靴底２を着脱する際に、空洞部２４において曲げながら靴底２を着脱できるため、靴底２の着脱が容易となる。また、空洞部２４において靴底２を曲げながら着脱しても、空洞部２４に足の荷重負荷が掛かり難く、空洞部２４からの靴底２へのダメージは少ないため、靴底２の耐久性を確保できる。
【００４７】
以上、好適な実施形態について説明したが、本発明は前述した実施形態に限定されることなく種々の形態で実施することができる。
例えば、前記実施形態においては、靴底２のインソール部２１の上に何も配置していないが、これに限定されない。インソール部２１の上に、例えば、中敷きや布材などの、いわゆるインソールのような部材を配置してもよい。
【００４８】
また、前記実施形態では、延出部３２１の先端に凸部を形成し、溝部２３の奥側に凹部を形成したが、これに限定されない。延出部３２１の先端に凸部を形成しなくてもよいし、溝部２３の奥側に凹部を形成しなくてもよい。
【符号の説明】
【００４９】
１、１Ａ、１Ｂ  靴
２、２Ａ、２Ｂ、２Ｃ、２Ｄ  靴底
３、３Ａ、３Ｂ、３Ｃａ、３Ｃｂ、３Ｄａ、３Ｄｂ、３Ｅａ、３Ｅｂ  アッパー部分
２１  インソール部
２２  アウトソール部
２３、２３Ａ，２３Ｂ、２３Ｃ、２３Ｄ、２３Ｅ  溝部
２４、２４Ｄ，２４Ｅ  空洞部
３１  上部開口部
３２  側部
３３  下部開口部
３２１、３２１Ａ，３２１Ｂ、３２１Ｃａ、３２１Ｃｂ、３２１Ｄａ、３２１Ｄｂ、３２１Ｅａ、３２１Ｅｂ  延出部
【図１】
2020078396.tif 000003
【図２】
2020078396.tif 000004
【図３】
2020078396.tif 000005
【図４】
2020078396.tif 000006
【図５】
2020078396.tif 000007
【図６】
2020078396.tif 000008
【図７】
2020078396.tif 000009
【図８】
2020078396.tif 000010
【図９】
2020078396.tif 000011
【図１０】
2020078396.tif 000012
【図１１】
2020078396.tif 000013
【図１２】
2020078396.tif 000014
【図１３】
2020078396.tif 000015